(57)【特許請求の範囲】
【請求項１】
複数枚の紙幣を集積し、これを釣札として一時保留する釣札保留部と、
釣札が出札される出札口と、
この出札口から前記釣札保留部までの間に設けられた搬送路と、
この搬送路に沿って前記釣札保留部から前記出札口に釣札を一括に送り出す送出手段と、
この送出手段により前記出札口に送り出されたが取り忘れられた釣札を、前記出札口から前記搬送路に沿って機内に戻す手段と、
前記搬送路を通過する釣札の厚みを検出する手段と、
前記搬送路を通って前記出札口に一括に送出される出札釣札の検出厚みと、前記出札口から前記搬送路を通って機内に戻される返戻釣札の検出厚みとを比較し、両者が一致するか否かを判定し、出力する手段と、
を有することを特徴とする紙幣処理装置。
【請求項２】
厚み検出手段にポテンショメータを用いることを特徴とする請求項１記載の紙幣処理装置。
【請求項３】
さらに、出札時のポテンショメータの変位量と取り忘れ釣札返戻時のポテンショメータ変位量とが不一致のときに警報を発する手段を有することを特徴とする請求項２記載の紙幣処理装置。
【請求項４】
さらに、複数枚の紙幣を受け入れる紙幣挿入口と、
この紙幣挿入口に挿入された紙幣を一時貯留しておく挿入紙幣貯留部と、
この挿入紙幣貯留部から紙幣を１枚ずつフィードする分離部と、
前記挿入紙幣貯留部の下方に設けられ、挿入紙幣に混入した異物を紙幣から分離して機外に排出する異物排出手段と、
を有することを特徴とする請求項１記載の紙幣処理装置。
【請求項５】
複数枚の紙幣を受け入れる紙幣挿入口と、
この紙幣挿入口に挿入された紙幣を一時貯溜しておく挿入紙幣貯溜部と、
紙幣を一時保管しておく金庫と、
この金庫又は前記挿入紙幣貯溜部から１枚ずつ送られてきた紙幣を集積し、これを釣札として一時保留する釣札保留部と、
釣札が出札される出札口と、
この出札口から前記釣札保留部までの間に設けられた搬送路と、
この搬送路に沿って前記釣札保留部から前記出札口に釣札を一括に送り出す送出手段と、
この送出手段により前記出札口に送り出されたが取り忘れられた釣札を、前記出札口から前記搬送路に沿って機内に戻す手段と、
前記搬送路を通過する釣札の厚みを検出する手段と、
前記搬送路を通って前記出札口に一括に送出される出札釣札の検出厚みと、前記出札口から前記搬送路を通って機内に戻される返戻釣札の検出厚みとを比較し、両者が一致するか否かを判定し、記録する手段と、
を有することを特徴とする券売機。
【請求項６】
さらに、出札釣札の検出厚みと取り忘れ釣札の検出厚みとが不一致のときに警報を発する手段を有することを特徴とする請求項５記載の券売機。
【請求項７】
１枚ずつ送られてきた紙幣を集積し、これを釣札として一時保留する工程と、
貯溜した釣札を搬送路を通して一括に出札口に出札する工程と、
前記出札工程の際に、前記搬送路に沿って設けられた厚み検出手段により釣札の厚みを検出する第１の厚み検出工程と、
出札口から取り忘れた釣札を前記搬送路を通して機内に戻す工程と、
前記取り忘れ釣札返戻工程の際に、前記出札口から前記搬送路を通して機内に返戻される釣札の厚みを前記厚み検出手段により検出する第２の厚み検出工程と、
第１の厚み検出結果と第２の厚み検出結果とを比較し、両者が一致するか否かを判定し、記録する工程と、
を有することを特徴とする紙幣処理方法。
【発明の詳細な説明】
【０００１】
【産業上の利用分野】
本発明は、乗車券や入場券等の券類を販売する券売機に係り、とくに券売機において釣札の出札及び収納札数をチェックする紙幣処理装置及び紙幣処理方法に関する。
【０００２】
【従来の技術】
従来、乗車券販売機等の券売機は硬貨しか取り扱うことができなかったが、近年では硬貨の他に紙幣も取り扱うことのできる券売機が開発され、実用に供されている。
【０００３】
この種の券売機は、本体の正面に硬貨投入口と紙幣投入口とを備えており、硬貨投入口から投入された硬貨は本体内に組み込まれた硬貨処理装置によって、また紙幣投入口から投入された紙幣は本体内に組み込まれた紙幣処理装置によってそれぞれ処理されるようになっている。紙幣処理装置は紙幣集積部として複数の金庫をもち、投入された紙幣は金種ごとに各金庫に集積され、さらに各金庫から釣り銭が取り出されるようになっている。
【０００４】
このような券売機では発券する一方で、各金庫から釣札を１枚ずつ取り出し、これらを保留部に一時的に集積保留し、一括して総額を紙幣返却口に出札するようにしている。
【０００５】
【発明が解決しようとする課題】
ところで、利用者が釣札を紙幣返却口から取り忘れると、設定タイマーが作動して釣札は機械内部に再び取り込まれてしまう。釣札の取り忘れに気付いた利用者は係員を呼びつけ、釣り銭の額を自己申告するが、釣札の出札時に放出枚数と取り忘れによる収納枚数が機械側でチェックされていないため、係員はそれを信用せざるをえない。
【０００６】
しかしながら、従来の券売機用紙幣処理装置においては、釣札の出札枚数と収納紙幣札数とが一致しているか不一致であるかを検知し記録する機構がないので、釣札の一部抜き取り等がなされたとしても、出札枚数と収納枚数との食い違いを係員は客観的に把握することができず、トラブルのもととなる。また、係員は利用者に対してトラブル状況を適切に説明することができない。
【０００７】
本発明は上記課題を解決するためになされたものであって、釣札の取り忘れに適切に対処することができる紙幣処理装置、紙幣処理方法及び券売機を提供することを目的とする。
【０００８】
【課題を解決するための手段】
本発明に係る紙幣処理装置は、複数枚の紙幣を集積し、これを釣札として一時保留する釣札保留部と、釣札が出札される出札口と、この出札口から前記釣札保留部までの間に設けられた搬送路と、この搬送路に沿って前記釣札保留部から前記出札口に釣札を一括に送り出す送出手段と、この送出手段により前記出札口に送り出されたが取り忘れられた釣札を、前記出札口から前記搬送路に沿って機内に戻す手段と、前記搬送路を通過する釣札の厚みを検出する手段と、前記搬送路を通って前記出札口に一括に送出される出札釣札の検出厚みと、前記出札口から前記搬送路を通って機内に戻される返戻釣札の検出厚みとを比較し、両者が一致するか否かを判定し、出力する手段と、を有することを特徴とする。
【０００９】
本発明に係る券売機は、複数枚の紙幣を受け入れる紙幣挿入口と、この紙幣挿入口に挿入された紙幣を一時貯溜しておく挿入紙幣貯溜部と、紙幣を一時保管しておく金庫と、この金庫又は前記挿入紙幣貯溜部から１枚ずつ送られてきた紙幣を集積し、これを釣札として一時保留する釣札保留部と、釣札が出札される出札口と、この出札口から前記釣札保留部までの間に設けられた搬送路と、この搬送路に沿って前記釣札保留部から前記出札口に釣札を一括に送り出す送出手段と、この送出手段により前記出札口に送り出されたが取り忘れられた釣札を、前記出札口から前記搬送路に沿って機内に戻す手段と、前記搬送路を通過する釣札の厚みを検出する手段と、前記搬送路を通って前記出札口に一括に送出される出札釣札の検出厚みと、前記出札口から前記搬送路を通って機内に戻される返戻釣札の検出厚みとを比較し、両者が一致するか否かを判定し、記録する手段と、を有することを特徴とする。
【００１０】
本発明に係る紙幣処理方法は、１枚ずつ送られてきた紙幣を集積し、これを釣札として一時保留する工程と、貯溜した釣札を搬送路を通して一括に出札口に出札する工程と、前記出札工程の際に、前記搬送路に沿って設けられた厚み検出手段により釣札の厚みを検出する第１の厚み検出工程と、出札口から取り忘れた釣札を前記搬送路を通して機内に戻す工程と、前記取り忘れ釣札返戻工程の際に、前記出札口から前記搬送路を通して機内に返戻される釣札の厚みを前記厚み検出手段により検出する第２の厚み検出工程と、第１の厚み検出結果と第２の厚み検出結果とを比較し、両者が一致するか否かを判定し、記録する工程と、を有することを特徴とする。
【００１１】
【作用】
本発明に係る紙幣処理装置においては、出札釣札の厚みを検出し、これを記録する一方で、同じ搬送路を通って機内に返戻される釣札の厚みをも検出し、記録するので、２つの厚み記録を比較することにより係員は釣札の取り忘れが生じたときに適切に対処することができる。
【００１２】
【実施例】
以下、添付の図面を参照しながら本発明の実施例について説明する。
図１において、２は本発明の一実施例に係る券売機の本体であり、この本体２の正面２Ａには表示部１４、操作パネル１２、硬貨投入口１０、紙幣投入口６、券及び釣り銭排出口２０、紙幣排出口８、乗車券発行口１６，１８等が設けられている。
【００１３】
本体２の内部には、硬貨投入口１０から投入された硬貨を取り扱う硬貨処理装置（図示せず）が組み込まれ、さらに図２に示すように、紙幣投入口６から投入された紙幣４を取り扱う紙幣処理装置１が組み込まれている。この紙幣処理装置１では複数枚の紙幣４の一括挿入と釣札の一括返却が可能となっている。
【００１４】
図３に示すように、紙幣処理装置１は、紙幣投入口６から投入された紙幣４を鑑別する紙幣鑑別部２４を備えており、この紙幣鑑別部２４で真札と鑑別された紙幣４は、第１の紙幣搬送手段である紙幣搬送機構２８により千円紙幣１次保留部３０、五千円紙幣１次保留部３２、一万円紙幣一次保留部兼釣札保留部３４のいずれかに搬送されるようになっている。
【００１５】
さらに、千円紙幣１次保留部３０、五千円紙幣１次保留部３２、一万円紙幣一次保留部兼釣札保留部３４にそれぞれ保留された紙幣４は、例えば操作パネル１２に配設された券発行キーの１つが押下されると、紙幣搬送機構２８により千円紙幣２次保留部４２、五千円紙幣２次保留部４８、一万円紙幣２次保留部５４のいずれかに搬送されるようになっている。なお、２次保留部４２，４８，５４はそれぞれ金庫４４，５０，５６を備えている。
【００１６】
紙幣鑑別部２４は、投入紙幣を画像情報として読み取る読取装置などを備え、制御部７２の入力側に接続されている。制御部７２は、ＣＰＵ及びメモリなどを備えており、紙幣の金種や真贋などを鑑別し、鑑別結果に応じて投入紙幣を各部へ搬送する指令信号を出すようになっている。すなわち、偽札と鑑別された偽札紙幣は紙幣投入口６に戻される。また、しわが多いなどの理由から通常の取り扱いが困難と鑑別された不良紙幣は、搬送機構３８によって上部リジェクト庫４０に送られる。さらに、クリップやコイン等の異物を伴っていると鑑別された異物混入紙幣は、一括挿入一時プール部２６に送られる。なお、各搬送路に設けられた駆動モータ７０Ａ，７０Ｂ，７０Ｃ，７０Ｄ，７０Ｅ，７０Ｆ，７０Ｇの電源スイッチは制御部７２の出力側に接続されている。
【００１７】
一括挿入一時プール部２６は異物分離用として複数本のワイヤ又はピン（図示せず）を備えており、ワイヤ又はピンの間を通過させるとクリップなどの異物が紙幣から分離されるようになっている。分離された紙幣は、金種ごとに金庫ユニット４６，５２，５８にそれぞれ搬送されるようになっている。一方、分離された異物は、一括挿入一時プール部の後端部２６ａから搬送ベルト１２０上に落下し、トレイ１２２までベルト搬送され、さらにトレイ１２２から紙幣排出口８の上部に滑り落ちるようになっている。
【００１８】
釣札保留部３４は搬送路２８，６８を介して各金庫ユニット４６，５２，５８及び返却紙幣一括返却部６６のそれぞれに連絡している。この釣札保留部３４では各金庫ユニット４６，５２，５８から１枚づつ放出される釣札を順次重ねて貯留するようになっており、貯留された釣札は釣札保留部３４から一括して搬送路６８に送り出され、釣札放出収納枚数検知機構１０９を経由して返却紙幣一括返却部６６に搬送されるようになっている。
【００１９】
返却紙幣一括返却部６６は、開閉扉を介して紙幣排出口８に連通する返却紙幣収納箱７４を備えている。この返却紙幣収納箱７４の釣札導入側には釣札通過検知用センサ９２が設けられ、一括返却される釣札の通過完了が検知されるようになっている。また、返却紙幣収納箱７４の釣札取出側には釣札取り忘れ検知用センサ９６が設けられ、利用者による釣札の取り忘れが検知されるようになっている。
【００２０】
駆動モータ７０Ｇは制御部７２によって回転の向きを切換制御されるようになっている。モータ７０Ｇを正転させると駆動プーリ９１が図中にて反時計まわりに回転し、釣札が搬送路６８から返却紙幣収納箱７４に送り出される。モータ７０Ｇを逆転させると駆動プーリ９１が図中にて時計まわりに回転し、釣札が返却紙幣収納箱７４から搬送路６８に戻される。なお、搬送路６８に戻された釣札は下部リジェクト庫６０，６２に搬送される。このように搬送路６８は釣札の送り出しと回収との共通の搬送路として用いられるようになっている。
【００２１】
次に、図４を参照しながら釣札放出収納枚数検知機構１０９について説明する。
釣札放出収納枚数検知機構１０９は、２対のセンサ１１１ａ，１１１ｂ，１１３ａ，１１３ｂと、１対のローラ１１２ａ，１１２ｂと、ポテンショメータ１１４とを備えている。一方のセンサ１１１ａ，１１１ｂは共通搬送路６８を挟んでローラ１１２ａ，１１２ｂよりも返却紙幣一括返却部６６に近いほうに設けられ、他方のセンサ１１３ａ，１１３ｂは共通搬送路６８を挟んでローラ１１２ａ，１１２ｂよりも返却紙幣一括返却部６６から離れた遠いほうに設けられている。両センサ１１１ａ，１１１ｂ，１１３ａ，１１３ｂともに釣札４の通過検知用であり、発光部および受光部を備えている。
【００２２】
一方のローラ１１２ａは揺動アーム１１５の先端側に設けられ、支軸１１６まわりに可動に支持されている。他方のローラ１１２ｂの取付け位置は固定されている。支軸１１６にはポテンショメータ１１４が設けられ、釣札４の通過による可動ローラ１１２ａの変位量が微小回転角として検出されるようになっている。ポテンショメータ１１４は制御部７２の入力側に接続されており、検出信号が制御部７２に入力されると、一括返却される釣札４の厚みが算出されるようになっている。揺動アーム１１５の後端側にはスプリング１１７が設けられ、可動ローラ１１２ａは固定ローラ１１２ｂのほうへ押し付けられるようになっている。
【００２３】
警報器１１９が制御部７２の出力側に接続され、センサ９６からの釣札取り忘れ検知信号が制御部７２に入ると警報が発せられるようになっている。また、制御部７２は設定タイマー（図示せず）を内蔵しており、釣札の出札時においては設定タイマーにより所定時間経過後に紙幣排出口８の扉が自動的に閉じられるようになっている。この場合に、釣札取り忘れの未然防止のため、紙幣排出口８の扉が閉じる数秒前に警報が鳴るようにタイマー設定してもよい。
【００２４】
次に、図５を参照しながら上記装置を用いて紙幣を処理する場合について説明する。
利用者が投入口６に紙幣を投入し、操作パネル１２の入力キーを操作して必要な購買データを入力する（工程Ｓ１）。投入紙幣は鑑別部２４を通って各金庫ユニット４６，５２，５８及び一次保留部３０，３２，３４にそれぞれ送られる。入力データ信号が制御部７２に入ると、ＣＰＵは発券動作のための信号を各部に発するとともに、釣り銭の額を算出する。ＣＰＵは算出した額に基づき信号を各金庫ユニット４６，５２，５８にそれぞれ送り、各部から釣札保留部３４に向けて１枚ずつ紙幣を送り出させる。紙幣は釣札保留部３４に次々に集積し、出札時まで一時的に保留される。釣札の集積が完了すると、ＣＰＵは釣札出札信号を各部に発する。これにより釣札は釣札保留部３４から搬送路６８に送り出され、搬送路６８を通って釣札放出収納枚数検知機構１０９に到達する。
【００２５】
釣札４の出札時においては、釣札放出収納枚数検知機構１０９のセンサ１１３ｂが先ず明から暗に変化する（工程Ｓ２）。次いで、出札釣札４がローラ１１２ａ，１１２ｂの間を通過する際に、センサ１１３ｂ及びセンサ１１１ｂは同時に暗となる（工程Ｓ３）。これら両センサ１１１ｂ，１１３ｂが同時に暗のときに、可動ローラ１１２ａがアーム１１５とともに揺動し、ポテンショメータ１１４がその変位量を検出する。これにより出札釣札４の厚みが検知される（工程Ｓ４）。さらに、出札釣札４がローラ１１２ａ，１１２ｂの間を通過してしまうと、アーム１１５がスプリング１１７により引き戻され、可動ローラ１１２ａは再び固定ローラ１１２ｂに当接する。さらに、センサ１１３ｂが暗から明に変わり、次いでセンサ１１１ｂが暗から明に変わる。そして、釣札４は出札口８に出札される。
【００２６】
出札された釣札を利用者が取り忘れると（工程Ｓ５）、所定時間経過後に出札口８の扉が閉じて、釣札４は搬送路６８を逆送され、機内に再び取り込まれる（工程Ｓ６）。この取り忘れは、設定タイマーとセンサ９６とによって検知される。釣札取り忘れ信号が制御器７２のＣＰＵに入力されると、警報１１９が鳴る。この釣札返戻時においても、センサ１１１ｂ，１１３ｂが同時に暗の状態の時のポテンショメータ１１４の変化量から返戻釣札の厚みを検出する（工程Ｓ７）。
【００２７】
ＣＰＵは、出札釣札の検出厚みと返戻釣札の検出厚みとを比較し、両者が相違するか否かを判定する（工程Ｓ８）。両者の厚みが同じであると判定した場合は、券売機は待機状態に移行する（工程Ｓ１２）。両者の厚みが相違すると判定した場合は、釣札厚みのチェック内容を記録し、さらに警報を鳴らす（工程Ｓ９）。警報が一定時間鳴ると、券売機は停止する（工程Ｓ１０）。係員は警報を聞きつけ、記録された釣札厚みのデータを調べ、利用者にトラブルの内容を説明する。これにより釣札取り忘れのトラブルが回避される。そして、リセットボタンを押して券売機を復旧させ（工程Ｓ１１）、券売機は待機状態に移行する（工程Ｓ１２）。
【００２８】
【発明の効果】
本発明によれば、釣札の放出枚数と取り忘れによる収納枚数の相違を調べることにより、釣札の返却状況の異常を知ることができ、取り忘れによるトラブルを防ぐことができる。
【００２９】
また、釣札が一括して、放出、収納される共通の搬送路に紙幣の厚み検知用のポテンショメータを一つ配置するという簡易な構造を採用することで、その状況を調べることができる。
【図面の簡単な説明】
【図１】券売機の前面外観を示す正面図。
【図２】券売機の概略側面図。
【図３】券売機の内部構造を示す断面図。
【図４】本発明の実施例に係る紙幣処理装置を示す構成ブロック図。
【図５】本発明の実施例に係る紙幣処理方法を示すフローチャートである。
【符号の説明】
１…紙幣処理装置
２…本体
４…釣札（紙幣）
６…紙幣投入口
８…紙幣排出口
６８…搬送路
７２…制御器
９２，９６，１１１ａ，１１１ｂ，１１３ａ，１１３ｂ…センサ
１０９…釣札放出収納枚数検知機構
１１２ａ…可動ローラ
１１２ｂ…固定ローラ
１１４…ポテンショメータ
１１９…警報器。
【図１】
0003798445.tif 000002
【図２】
0003798445.tif 000003
【図３】
0003798445.tif 000004
【図４】
0003798445.tif 000005
【図５】
0003798445.tif 000006